(57)【要約】      （修正有）【課題】製品の重量を減らし、材料コストを下げ、比較的重い重量に耐えられる。【解決手段】複数のパネルユニット１０によって構成され、それぞれ二つの隣り合うパネルユニット１０は配線部蓋板２０によって接合され、それぞれ四つの隣り合うパネルユニット１０の中央には中央蓋板３０が設けられ、それぞれのパネルユニット１０の下方には複数の支柱１２が設けられ、パネルユニット１０を高く支持して、配線はパネルユニット１０の下方に敷設され、配線部蓋板２０と中央蓋板３０上には複数のＶ形補強部２１、３２が設けられ、それぞれのパネルユニット１０の周縁にはＶ形補強部２１、３２を嵌合する凹陥部１３、１４が設けられ、Ｖ形補強部２１、３２は安定して凹陥部１３、１４上に嵌合され、床パネル全体の構造を強化することができ、住居やオフィスなど配線を敷設する場所に適用する。【選択図】図５
0003108066.tif 000002
【実用新案登録請求の範囲】
【請求項１】
複数のパネルユニットによって構成される床パネルの構造において、
それぞれ二つの隣り合うパネルユニットは配線部蓋板によって接合されており、それぞれ四つの隣り合うパネルユニットの中央には中央蓋板が設けられており、それぞれのパネルユニットの下方には複数の支柱が設けられており、前記パネルユニットを高く支持しており、配線は前記パネルユニットの下方に敷設され、
前記配線部蓋板と中央蓋板上には複数のＶ形補強部が設けられており、それぞれのパネルユニットの周縁には前記Ｖ形補強部が嵌合される凹陥部が設けられており、それによりＶ形補強部を安定して凹陥部上に嵌合することができ、床パネル全体の構造を強化することができることを特徴とする床パネルの構造。
【請求項２】
前記中央蓋板の補強部は交差状を呈していることを特徴とする請求項１に記載の床パネルの構造。
【請求項３】
前記配線部蓋板上の複数の補強部は平行に配列していることを特徴とする請求項１に記載の床パネルの構造。
【請求項４】
前記配線部蓋板には配線引出口が設けられていることを特徴とする請求項１に記載の床パネルの構造。
【考案の詳細な説明】
【技術分野】
【０００１】
本考案は床パネルの構造に係り、特にＶ形補強部が配線部蓋板と中央蓋板上に設置されており、パネルユニットの周縁にはV形補強部に対応するV形凹陥部が設けられており、パネルユニットを配線部蓋板と中央蓋板によって接合することによって床パネル全体の構造を強化することができ、住居やオフィスなど配線を敷設する場所に適用する床パネルの構造に関わる。
【背景技術】
【０００２】
コンピュータが使用される場所において、その配線の敷設は非常に重要なことである。それぞれのコンピュータはその配線によって他のコンピュータと接続されたり、通電を行ったりし、設備機器が多い時には配線はより複雑なものとなる。仮に配線が外部に露出した状態の場合、見た目に悪いだけでなく、人が移動する時危険である。床パネルは高架状になっており、底部に配線を敷設する空間を残したものであり、現代のオフィスの主流の構造となっている。現在市場に見られる高架式の床パネル製品は多種多様であり、図１、２は伝統的な床パネルの外観図と断面図であり、主に複数のパネルユニットによって構成されており、それぞれ二つの隣り合うパネルユニットは配線部蓋板によって接合されており、それぞれ四つのパネルユニットは中央蓋板によって接合されている。パネルユニットは支柱によって高く支持されており、配線を敷設する空間を残している。
【０００３】
以前は配線部蓋板の強度を高めるためにその上部に平行に複数のU形凹陥部が設けられていた。同様に中央蓋板の強度を高めるためにその上部に交差状を呈するU形凹陥部が設けられていた。
【０００４】
図３は伝統的な床パネルの正面からの局部拡大図であり、配線部蓋板はパネルユニット上に蓋合わせ状に結合しており、U形凹陥部は直接パネルユニット上に跨るまで伸びていないので、荷重物を配線部蓋板上に置いた時、荷重物の重量は全て配線部蓋板の両側のパネルユニットとの接合部に掛かり、仮に荷重物が非常に重い時、配線部蓋板の強度は不足してしまう。
【０００５】
また、伝統的な床パネルはU形凹陥部を配線蓋板と中央蓋板の補強部としているが、U形凹陥部の底縁は比較的幅があり、そのために、配線の設置が完了し、その上に絨毯を敷設した時、U形凹陥部に対応する絨毯部分がU形に凹んでしまい、見た目に悪い。
【０００６】
このため、如何にして強度が高く、同時に製造コストを下げることができる床パネルを提供するかが本考案の主な内容である。
【考案の開示】
【考案が解決しようとする課題】
【０００７】
本考案の主な目的は、公知構造のU形補強部をV形補強部に変え、それを配線部蓋板と中央蓋板上に設置して強度を更に高め、比較的重い荷重物にも耐えられるようにし、さらに配線部蓋板と中央蓋板の強度が高められるので薄く製造することができ、それにより材料コストを下げることができ、製品の重量を減らすことができるが比較的大きな荷重に耐えられる床パネルの構造を提供することである。
【０００８】
本考案の次の目的は、配線部蓋板と中央蓋板上のV形補強部の両端をパネルユニットの周縁上まで伸ばすことによって、蓋板が荷重を受けた時でもパネルユニットと共に重量を分担することができ、耐荷重性を向上させることができる床パネルの構造を提供することである。
【課題を解決するための手段】
【０００９】
前記目的を解決するために、
請求項１の考案は、複数のパネルユニットによって構成される床パネルの構造において、
それぞれ二つの隣り合うパネルユニットは配線部蓋板によって接合されており、それぞれ四つの隣り合うパネルユニットの中央には中央蓋板が設けられており、それぞれのパネルユニットの下方には複数の支柱が設けられており、前記パネルユニットを高く支持しており、配線は前記パネルユニットの下方に敷設され、
前記配線部蓋板と中央蓋板上には複数のＶ形補強部が設けられており、それぞれのパネルユニットの周縁には前記Ｖ形補強部が嵌合される凹陥部が設けられており、それによりＶ形補強部を安定して凹陥部上に嵌合することができ、床パネル全体の構造を強化することができることを特徴とする床パネルの構造である。
【００１０】
請求項２の考案は、前記中央蓋板の補強部は交差状を呈していることを特徴とする請求項１に記載の床パネルの構造である。
【００１１】
請求項３の考案は、前記配線部蓋板上の複数の補強部は平行に配列していることを特徴とする請求項１に記載の床パネルの構造である。
【００１２】
請求項４の考案は、前記配線部蓋板には配線引出口が設けられていることを特徴とする請求項１に記載の床パネルの構造である。
【考案の効果】
【００１３】
配線部蓋板と中央蓋板上における公知構造のU形である補強部の設計をV形に変えたことにより、そのＶ形補強部の底縁の距離を大幅に縮小し、強度を公知構造のものよりも高めただけでなく、蓋板全体の体積と厚さをＵ形のものよりも縮小することができ、それにより、材料にかかるコストと輸送コストをさげることができる床パネルの構造を提供できた。
【００１４】
配線部蓋板と中央蓋板上にはＶ形補強部が設けられており、パネルユニットの四周縁にもそれに対応するＶ形凹陥部が設けられていることによって、本考案のＶ形補強部は公知構造の補強部よりも長く、床パネルに荷重物を置いたり、その上を歩いたりした時、その荷重力を同時にパネルユニットと共に分担することができ、公知構造のものよりも強度が高い床パネルの構造を提供できた。
【考案を実施するための最良の形態】
【００１５】
図４、５、６、７、８は本考案の床パネルの構造の実施例を示すものであり、複数のパネルユニット１０と、複数の配線部蓋板２０と、中央蓋板３０とによって構成されている。
【００１６】
それぞれ二つの隣り合うパネルユニット１０は配線部蓋板２０によって接合されており、それぞれ四つのパネルユニット１０は中央蓋板３０によって接合されている。パネルユニット１０は支柱１２によって高く支持されており、配線を敷設する空間を残している。組立後の様子は図８に示す。
【００１７】
前述の中央蓋板３０の四辺は下向きに折り曲げられ、曲折縁部３１が形成されており、パネルユニット１０の角部の跨接部１１に跨接している。それにより中央蓋板３０を四つのパネルユニット１０と接合することができ、中央蓋板３０はパネルユニット１０間に平らに設置される。
【００１８】
前述の中央蓋板３０上には交差状を呈するV形補強部３２（図６に示す）が設けられており、中央蓋板３０の強度を高めており、前述のV形補強部３２は中央蓋板３０の四隅近くまで伸びているが、接触はしておらず、パネルユニット１０の四隅には前述のV形補強部３２に対応するV形凹陥部１３が設けられており、それにより、中央蓋板３０をパネルユニット１０の角部に設置する時、V形補強部３２を安定してV形凹陥部１３に嵌合することができる。
【００１９】
前述の配線部蓋板２０上には複数の平行に並ぶV形補強部２１（図７に示す）が設けられており、配線部蓋板２０の強度を高めており、配線部蓋板２０上のV形補強部２１は配線部蓋板２０の両側縁部まで延伸しているが、両側縁部に接触はしておらず、パネルユニット１０の四周縁には前述のV形補強部２１に対応するV形凹陥部１４が設けられており、それにより、配線部蓋板２０をパネルユニット１０に設置する時、V形補強部２１を安定してV形凹陥部１４に嵌合することができる（図９、１０に示す）。配線部蓋板２０には配線引出口２２が設けられており、配線はパネルユニット１０の下方から引き出される。
【００２０】
これらの構造により、荷重物を配線部蓋板２０および中央蓋板３０上に放置した時、その荷重力はV形補強部２１、３２によって、パネルユニット１０周縁のV形凹陥部１３、１４上において分散され、パネルユニット１０と共に荷重を分担することができる。
【００２１】
実施時、図４、５、６、７、８、９、１０に示すように、先ず設計に基づいて複数のパネルユニット１０を間隔をあけて施工地面上に敷設し、中央蓋板３０を四つのパネルユニット１０間に設置し、中央蓋板３０の曲折縁部３１を緊密にパネルユニット１０の跨接部１１に掛止し、この時、中央蓋板３０のV形補強部３２は安定してパネルユニット１０のV形凹陥部１３に嵌合され、四つのパネルユニット１０を緊密に接合することができる。さらに配線部蓋板２０を隣り合うパネルユニット１０間に設置するが、この時も配線部蓋板２０のV形補強部２１に安定してパネルユニット１０のV形凹陥部１４に嵌合し、隣り合うパネルユニット１０を緊密に接合することができ、以上のようにして広面積の床パネルが形成される。
【００２２】
本考案は以下のような優れた点を有する。
【００２３】
１  配線部蓋板２０と中央蓋板３０上における公知構造のU形である補強部の設計をV形に変えたことにより、そのＶ形補強部の底縁Ｌ２の距離を大幅に縮小し、強度を公知構造のものよりも高めただけでなく、蓋板全体の体積と厚さをＵ形のものよりも縮小することができ、それにより、材料にかかるコストと輸送コストをさげることができる。
【００２４】
２  配線部蓋板２０と中央蓋板３０上にはＶ形補強部２１、３２が設けられており、パネルユニットの四周縁にもそれに対応するＶ形凹陥部１３、１４が設けられていることによって、本考案のＶ形補強部２１、３２は公知構造の補強部よりも長く、床パネルに荷重物を置いたり、その上を歩いたりした時、その荷重力を同時にパネルユニット１０と共に分担することができ、公知構造のものよりも強度が高い。
【００２５】
上述の内容は本考案の実施例を示したものであり、本考案の範囲を限定するものではなく、実用新案登録請求の範囲を逸脱しない限り、当業者により容易になされる変化や修飾も本考案の技術範囲に属する。
【００２６】
上記のように、本考案は確実にその目的を達成できるものであり、床パネルの構造を提供するものであり、極めて高い実用価値を有しており、法に基づき申請を行う。
【図面の簡単な説明】
【００２７】
【図１】公知構造の床パネルの立体外観図である。
【図２】図１中の断面線ＡＡ´における断面図である。
【図３】図１における前面からの局部拡大図である。
【図４】本考案の実施例の立体分解図である。
【図５】図４中のＡ部分の局部拡大図である。
【図６】本考案の中央蓋板の立体拡大図である。
【図７】本考案の配線部蓋板の立体拡大図である。
【図８】本考案の実施例の組立て後の立体図である。
【図９】図８中の断面線ＢＢ´における断面図である。
【図１０】図９中のＶ形補強部の局部拡大図である。
【符号の説明】
【００２８】
Ｔ１０    パネルユニット
Ｔ１１    配線部蓋板
Ｔ１１１  配線部蓋板上のＵ形凹陥部
Ｔ１２    中央蓋板
Ｔ１２１  中央蓋板上のＵ形凹陥部
Ｔ１３    支柱
Ｔ１４    荷重物
Ｔ１５    配線部蓋板両側と床パネルの接合部分
Ｌ１      Ｕ形凹陥部の底縁
１０      パネルユニット
１１      跨接部
１２      支柱
１３      Ｖ形凹陥部
１４      Ｖ形凹陥部
２０      配線蓋板
２１      Ｖ形補強部
２２      配線引出口
３０      中央蓋板
３１      曲折縁部
３２      Ｖ形補強部
Ｌ２      Ｖ形補強部の底縁
【図１】
0003108066.tif 000003
【図２】
0003108066.tif 000004
【図３】
0003108066.tif 000005
【図４】
0003108066.tif 000006
【図５】
0003108066.tif 000007
【図６】
0003108066.tif 000008
【図７】
0003108066.tif 000009
【図８】
0003108066.tif 000010
【図９】
0003108066.tif 000011
【図１０】
0003108066.tif 000012